(57)【要約】【課題】本発明はネットワークに接続されたファクシミリ装置における着信データの配信に関し、特にファクシミリ着信を対応する担当者が知り、かつ指定する方法でファクシミリデータの取得を行うことができるファクシミリシステムを提供するものである。【解決手段】ネットワークに接続された電話機と、ファクシミリ機能を備えた少なくとも１つの複合機と、パーソナルコンピュータ（ＰＣ）等の端末機器から成るファクシミリシステムであって、複合機は上記電話機から転送される信号と共に、転送後の処理を指定するための指定コードを受信するＦＡＸ通信制御部を有し、受信したファクシミリデータに対して指定コードに基づく方式でファクシミリデータの取得を行う。【選択図】  図1
2007174006.tif 000002
【特許請求の範囲】
【請求項１】
ネットワークに接続された電話機と、ファクシミリ機能を備えた複合機と、他の端末機器からなるファクシミリシステムであって、
前記電話機は、ファクシミリ受信を行う受信手段と、該ファクシミリ受信を前記複合機に通知し、内線番号及び指定コードの情報を前記複合機に出力する出力手段とを有し、
前記複合機は、前記電話機から出力されるファクシミリ受信の通知、及び内線番号と共に指定コードを受信する受信手段と、該受信手段により受信した内線番号と指定コードに基づいて供給されるファクシミリデータの制御を行う制御手段とを有する、
ことを特徴とするファクシミリシステム。
【請求項２】
前記制御手段は、ファクシミリデータの印刷処理を行うことを特徴とする請求項１記載のファクシミリシステム。
【請求項３】
前記制御手段は、予め登録された前記内線番号とメールアドレスのテーブルを参照し、前記電話機から入力する内線番号の情報と比較し、一致する内線番号のメールアドレスの端末機器にファクシミリデータをメールすることを特徴とする請求項１記載のファクシミリシステム。
【請求項４】
前記テーブルは、前記内線番号に対応するパス情報も登録することを特徴とする請求項３記載のファクシミリシステム。
【請求項５】
前記制御手段は、前記ファクシミリデータをＰＤＦファイル、又はテキストファイルに変換し、前記端末装置に送信することを特徴とする請求項１記載のファクシミリシステム。
【発明の詳細な説明】
【技術分野】
【０００１】
本発明は、ネットワークに接続されたファクシミリ装置の着信データに関するシステムである。
【背景技術】
【０００２】
従来、構内電話回線を導入しているオフィスでは、外部から電話が掛かると、内線で担当者に転送することができる。しかし、ファクシミリ受信の場合、オフィス専用の番号が予め登録されているため、担当者が直接受信することはない。このため、担当者は、他の者からファクシミリ受信が通知されるか、又は定期的にファクシミリ装置の設置場所まで出向き、着信データの印刷物を入手する。したがって、無駄な時間を費やすことも多く、効率よくファクシミリデータを受信することができない。
【０００３】
また、近年、ＬＡＮ（Ｌｏｃａｌ Ａｒｅａ Ｎｅｔｗｏｒｋ）等のネットワークを利用して、パーソナルコンピュータやワークステーション等から一般のファクシミリにデータを送信し、又は一般のファクシミリから送られるデータを受信するシステムが開発されている。このシステムは、ネットワークに接続されたネットワーク通信制御装置から、パーソナルコンピュータやワークステーション等にファクシミリデータを転送する際、予め転送先のサブアドレスを入力しておき、このサブアドレスに基づいて転送先を特定すると共に、ファクシミリデータを当該転送先に転送するものである。
【０００４】
また、特許文献１の発明は、ネットワーク通信制御装置内に転送先のアドレスを登録しておく対応テーブルを設けず、例えばゲートキーパに電話番号毎のメールアドレスを登録し、電話番号を取得すると、ゲートキーパから対応する転送先に電子メールで送信するものである。
【特許文献１】特開２００３−１６３７８０号公報
【発明の開示】
【発明が解決しようとする課題】
【０００５】
しかしながら、上記従来技術においても、ファクシミリ受信を各担当者が直接受け付ける構成ではない。また、ファクシミリデータの取得方法も、各担当者が指定できる構成でもない。
【０００６】
そこで、本発明は上記課題を解決するため、ファクシミリ受信を各担当者が直接受け、担当者が選択した取得方法に従ってファクシミリデータの取得が可能なファクシミリシステムを提供するものである。
【課題を解決するための手段】
【０００７】
本発明は上記課題を解決するため、ネットワークに接続された少なくとも電話機と、ファクシミリ機能を備えた複合機と、他の端末機器からなるファクシミリシステムであって、前記電話機は、ファクシミリ受信を行う受信手段と、該ファクシミリ受信を前記複合機に通知し、内線番号及び指定コードの情報を前記複合機に出力する出力手段とを有し、前記複合機は、前記電話機から出力されるファクシミリ受信の通知、及び内線番号と共に指定コードを受信する受信手段と、該受信手段により受信した内線番号と指定コードに基づいて供給されるファクシミリデータの制御を行う制御手段とを備えたファクシミリシステムを提供することによって達成できる。
【０００８】
このように構成することにより、ファクシミリ受信を担当者が確実に知ることができ、更に受信者が指定した方法でファクシミリデータを取得することができる。
また、前記制御手段は、例えばファクシミリデータの印刷処理を行う構成である。このように構成することにより、ユーザは印刷処理が完了した時間を予測して印刷物を複合機まで取りに行くことができ、効率よく時間を使うことができる。
【０００９】
また、前記制御手段は、例えば予め登録された前記内線番号とメールアドレスのテーブルを参照し、前記電話機から入力する内線番号の情報と比較し、一致する内線番号のメールアドレスの端末機器にファクシミリデータをメールする構成である。
【００１０】
このように構成することにより、ユーザは複合機まで出向くことなく、ファクシミリデータを取得することができる。
また、前記テーブルは、例えば前記内線番号に対応する端末機器のパス情報も記録する構成である。このように構成することにより、端末機器に送信されたファクシミリデータを端末機器の所定フォルダに供給することができる。
【００１１】
さらに、前記制御手段は、例えば前記ファクシミリデータをＰＤＦファイル、又はテキストファイルに変換し、前記端末装置に送信する構成である。このように構成することにより、ユーザは複合機まで出向く必要がないだけでなく、ユーザが希望するファイル形式でファクシミリデータを取得することができる。
【発明の効果】
【００１２】
本発明によれば、ファクシミリ受信の確認を担当者が確実に行うことができ、更に受信者が指定した方法でファクシミリデータを取得することができる。
また、ユーザは印刷処理が完了した時間を予測して印刷物を複合機まで取りに行くことができ、効率よく時間を使うことができる。
【００１３】
さらに、ファクシミリデータのメール配信のみではなく、他の指定された方法でファクシミリデータを受信することができる。
【発明を実施するための最良の形態】
【００１４】
以下、図面を参照しながら本発明の実施形態について説明する。
図１は、本実施形態例に係るファクシミリシステムのシステム構成図である。本例のファクシミリシステムは、電話回線網１、ゲートウェイサーバ２、ネットワーク３、パーソナルコンピュータ４及び５、ＰＡＢＸ（Ｐｒｉｖａｔｅ  Ａｕｔｏｍａｔｉｃ  Ｂｒａｎｃｈ  Ｅｘｃｈａｎｇｅ：自動式構内交換機）６、電話機７及び８、無線電話機９、内線電話機１０、複合機（以下、ＭＦＰ（多機能印刷装置・マルチファンクションプリンタ）で示す）１１で構成されている。
【００１５】
ここで、電話回線網１には、電話機７及び８と、ゲートウェイサーバ２が接続されている。また、ネットワーク３には、ゲートウェイサーバ２とパーソナルコンピュータ４及び５と、ＰＡＢＸ４が接続されている。さらに、ＰＡＢＸ４には、無線電話機９、内線電話機１０、及びＭＦＰ６が接続されている。
【００１６】
ゲートウェイサーバ２は、電話回線網１とネットワーク３の接続制御を行ない、ネットワーク３は、例えばＬＡＮ（Ｌｏｃａｌ Ａｒｅａ Ｎｅｔｗｏｒｋ）、ＷＡＮ（Ｗｉｄｅ Ａｒｅａ Ｎｅｔｗｏｒｋ）であり、有線だけでなく無線も含む構成である。
【００１７】
ＰＡＢＸ６は、ネットワーク３上に構築された内線電話機１０同士、又は電話回線網１への接続および制御を行う装置である。このＰＡＢＸ６は、無線電話機９やＭＦＰ１１との接続および制御も行う。
【００１８】
図２は上記ＭＦＰ１１の構成を示す図である。ＭＦＰ１１は、スキャナ部１３、ＭＦＰ制御部１４、プリンタ部１５で構成されている。スキャナ部１３は読取機構部１３ａを有し、読取機構部１３ａの駆動により原稿台に載置された原稿画像が読み取られ、ＭＦＰ制御部１４に原稿データが送信される。
【００１９】
ＭＦＰ制御部１４は、ＭＦＰメイン部１６、読取機構制御部１７、表示操作制御部１８、ＦＡＸ通信制御部１９、ＬＡＮ通信制御部２０、インターネット通信制御部２１、記憶装置制御部２２、及び記憶装置部（ＨＤＤ）２３で構成されている。読取機構制御部１７は前述のスキャナ部１３に設けられた読取機構部１３ａの機構制御を行い、スキャナ部１３で読み取られた原稿データはＭＦＰ制御部１４に送られる。
【００２０】
表示操作制御部１８は、表示操作部２５に設けられたキー等の操作に基づく操作信号をＭＦＰメイン部１６に出力する。また、ＭＦＰメイン部１６から出力される表示データを表示操作部２５に表示する。さらに、記憶装置制御部２２は、記憶装置部（ＨＤＤ）２３へのデータ書き込み、及び記憶装置部（ＨＤＤ）２３に記憶されたデータの読み出し制御を行う。
【００２１】
また、ＬＡＮ通信制御部２０は、本例で使用するＭＦＰ１１をＬＡＮに接続する為のインターフェイスである。
また、ＦＡＸ通信制御部１９は、前述のＰＡＢＸ６を介して供給されるファクシミリデータをＭＦＰメイン部１６に供給する。また、ＦＡＸ通信制御部１９は、ＤＴＭＦ（Ｄｕａｌ  Ｔｏｎｅ  Ｍｕｌｔｉ−Ｆｒｅｑｕｅｎｃｙ）回路を含んでおり、このＤＴＭＦ回路は、後述するファクシミリ受信を転送してきた電話機（例えば、無線電話機９、内線電話機１０等）からのＤＴＭＦ信号を検出する回路である。このＤＴＭＦ信号は、本例において指定コード（「＃０」、「＃１」）を含むものであり、このＤＴＭＦ信号に基づいてＭＦＰ１１は各種機能を実行する。
【００２２】
また、インターネット通信制御部２１は、例えばＴＣＰ／ＩＰ（ｔｒａｎｓｍｉｓｓｉｏｎ  ｃｏｎｔｒｏｌ  ｐｒｏｔｏｃｏｌ  ／ｉｎｔｅｒｎｅｔ  ｐｒｏｔｏｃｏｌ）を使用して、ルータ（不図示）を介してインターネット通信の制御を行う。
【００２３】
一方、プリンタ部１５はプリンタ制御部２６、及び印刷機構部２７で構成され、プリンタ制御部２６の制御処理に基づいて印刷処理を行う。尚、印刷機構部２７は印字ヘッドの他、画像形成部や現像部、転写部等の機構部で構成されている。
【００２４】
尚、ＭＦＰメイン部１６は、ソフトウェアプログラムによってＭＦＰ制御部１４の各部の制御を行い、不図示のＣＰＵとＲＡＭを含む。また、ソフトウェアプログラムは記憶装置部（ＨＤＤ）２３に記憶され、またユーザの内線番号に対応するＩＰアドレス等の情報も記憶装置部（ＨＤＤ）２３に記録されている。
【００２５】
図３は、上記記憶装置部（ＨＤＤ）２３に予め登録されるデータ構成を示す。同図に示すように、記憶装置部（ＨＤＤ）２３には内線番号に対応するＩＰアドレス、及びパスの情報が登録されている。ＩＰアドレスは、ユーザの内線番号に対応するものであり、本例では１００件の情報が登録されている。例えば、１件目の“ＮＯ．１”には、内線番号“６２１１”に対応するＩＰアドレス“１２９．１６８．１２．１”、及び対応するパス“Ｃ：￥Ｄｏｃｕｍｅｎｔｓ￥ＦＡＸ”の情報が登録されている。また、２件目の“ＮＯ．２”には、内線番号“６２１２”に対応するＩＰアドレス“１２９．１６８．１２．２”、及び対応するパス“Ｃ：￥Ｄｏｃｕｍｅｎｔｓ￥ＦＡＸ”の情報が登録されている。尚、３件目の“ＮＯ．３”以降についても、同図に示す情報が登録されている。また、上記パスの情報は、パーソナルコンピュータのフォルダ先を指定するものである。
【００２６】
次に、上記構成において本例の処理動作を説明する。
先ず、図４に示すように、送信元のファクシミリ装置３０からファクシミリ送信があり、ファクシミリデータは前述の電話回線網１を介して本システムに入力する。同図に示す例では、ユーザの無線電話機９に着信がある。本例の場合、ファクシミリの場合も通常の電話と同様、電話番号の電話機に着信がある。
【００２７】
ここで、ユーザは受話器からポーリング音を確認すると、電話入力ではなく、ファクシミリ入力であると判断でき、無線電話機９の所定キーを操作し、ＭＦＰ１１にファクシミリ受信があったことを通知する。この通知の際、ユーザはＭＦＰ１１が備える各種機能を使用するため、指定コードを入力する。例えば、「＃０」又は「＃１」の指定コードを入力する。本例の場合、「＃０」はファクシミリデータを印刷媒体（例えば用紙）３１に出力する指示であり、「＃１」はファクシミリデータをＭＦＰ１１の記憶装置部（ＨＤＤ）２３に保存し、画像データに変換した後、電子メールに添付してユーザのパーソナルコンピュータ４又は５に送信させる指示である。
【００２８】
上記指定コードは、前述のＤＴＭＦ信号として、ＭＦＰ１１に出力される。また、無線電話機９から内線番号の情報もＰＡＢＸ６を介してＭＦＰ１１に送信される。ＭＦＰ１１は上記情報に基づいて印刷出力、又はユーザに対するメール送信を行う。以下、具体的な処理を図５に示すフローチャートに従って説明する。
【００２９】
先ず、内線番号を取得する（ステップ（以下、Ｓで示す）１）。この内線番号の情報は、ＤＴＭＦ信号と共に前述のＦＡＸ通信制御部１９に入力し、ＦＡＸ通信制御部１９を介してＭＦＰメイン部１６に送られる。次に、リンガートーンの検出を判断し（Ｓ２）、ＦＡＸ通信制御部１９がこのリンガートーンを検出すると（Ｓ２がＹes）、ＦＡＸ通信制御部１９は内部のＤＴＭＦ回路によって指定コードを判断する。
【００３０】
先ず、指定コードが「＃０」であるか判断する（Ｓ３）。ここで、指定コードが「＃０」である場合（Ｓ３がＹes）、ＭＦＰメイン部１６を介して指定コード「＃０」の情報を記憶装置部（ＨＤＤ）２３に格納する（Ｓ４）。一方、指定コードが「＃０」ではない場合（Ｓ３がＮo）、指定コードが含まれていないか（又はＤＴＭＦ信号が無しか）判断する（Ｓ５）。ここで、指定コードが含まれていない場合（Ｓ５がＹes）、この場合にも「＃０」の指定コードを記憶装置部（ＨＤＤ）２３に格納する（Ｓ４）。
【００３１】
また、指定コードが含まれ、かつ指定コードが「＃０」ではない場合（Ｓ５がＮo）、指定コードが「＃１」であるか判断する（Ｓ６）。そして、指定コードが「＃１」であれば（Ｓ６がＹes）、指定コード「＃１」のデータを記憶装置部（ＨＤＤ）２３に格納する（Ｓ７）。
【００３２】
次に、ＦＡＸ通信制御部１９はファクシミリデータの受信を開始し（Ｓ８）、前述のファクシミリ装置３０から供給されるファクシミリデータを記憶装置部（ＨＤＤ）２３に記録する。その後、ファクシミリ受信が完了すると（Ｓ９）、記憶装置部（ＨＤＤ）２３に記録された指定コードが「＃０」であるか判断する（Ｓ１０）。そして、「＃０」であればファクシミリデータをＭＦＰメイン部１６を介してプリンタ制御部２６に供給し、用紙への印刷処理を開始する（Ｓ１１）。
【００３３】
したがって、上記処理により、用紙への印刷処理が行われ、ファクシミリデータはプリンタ部１５によって用紙に印刷処理され、出力される。従ってこの場合、ユーザは印刷処理が完了した時間を予測して印刷物をＭＦＰ１１に取りに行くことができ、効率よく時間を使うことができる。また、本人へのファクシミリ受信も確実に確認することができる。
【００３４】
一方、指定コードが「＃０」ではない場合（Ｓ１０がＮo）、ＭＦＰ１１は添付用画像の展開処理を開始する（Ｓ１２）。先ず、内線番号を検索し、一致する内線番号を判断する（Ｓ１３）。すなわち、ＭＦＰメイン部１６は、記憶装置部（ＨＤＤ）２３に記憶した前述の図３に示すテーブルを検索し、入力した内線番号に一致する番号が登録されているか判断する（Ｓ１３）。ここで、一致する内線番号を検出すると（Ｓ１３がＹes）、Ｅメールアドレスを取得する（Ｓ１４）。
【００３５】
例えば、図３に示すように、内線番号が“６２１１”の場合、対応するＩＰアドレス“１２９．１６８．１２．１”を取得し、ファクシミリデータを当該アドレスの端末装置（例えば、パーソナルコンピュータ４又は５）に送信する（Ｓ１５）。この時、同時に対応するパスの情報“Ｃ：￥Ｄｏｃｕｍｅｎｔｓ￥ＦＡＸ”も送信する。
【００３６】
このように処理することによって、ＭＦＰ１１に転送され、受信したファクシミリデータを電子メールに添付してユーザのパーソナルコンピュータに送出することができる。また、上記パスの情報によって指定されたフォルダに供給される。
【００３７】
尚、上記実施形態の説明では、情報登録件数を１００件に設定したが、１００件に限定されるものではない。また、内線番号およびＩＰアドレスは、任意の桁数を設定可能である。
【００３８】
また、上記例では指定コードとして「＃０」、及び「＃１」を使用して説明したが、更に多くの指定コードを使用する構成としてもよい。例えば、「＃２」、「＃３」、・・・を使用して以下のような処理を行う構成としてもよい。
【００３９】
例えば、「＃２」はファクシミリデータをＭＦＰ１１の記憶装置部（ＨＤＤ）２３に保存させるまで指示する。また、「＃３」はファクシミリデータを別のＭＦＰ１１に転送して用紙に印刷出力させる指示である。また、「＃４」はファクシミリデータをＭＦＰ１１の記憶装置部（ＨＤＤ）２３に保存し、かつＰＤＦ形式ファイルに変換した後、当該ＰＤＦ形式ファイルをパーソナルコンピュータ（ＰＣ）の所定のフォルダに送出させる指示である。さらに、「＃５」はファクシミリデータをＭＦＰ１１の記憶装置部（ＨＤＤ）２３に保存し、かつＯＣＲ処理によってテキストファイルに変換した後、当該テキストファイルをパーソナルコンピュータ（ＰＣ）の所定のフォルダに送出させる指示である。
【００４０】
尚、指定コードは上記実施例に限られるものではなく、任意の数字のみ、あるいは「＃」、「＊」の組み合わせでもよく、任意の桁数を使用することもできる。また、新たな機能として、例えば白黒印刷、或いはカラー印刷等の機能を追加することもできる。
【図面の簡単な説明】
【００４１】
【図１】本発明に係るファクシミリシステムの構成図である。
【図２】ＭＦＰの構成を示すブロック図である。
【図３】ＭＦＰに登録されたユーザの内線番号、ＩＰアドレス、及びパスのテーブル例である。
【図４】ファクシミリ入力があった場合の処理手順を示す図である。
【図５】本例の処理動作を説明するフローチャートである。
【符号の説明】
【００４２】
１・・・電話回線網
２・・・ゲートウェイサーバ
３・・・ネットワーク
４、５・・パーソナルコンピュータ
６・・・ＰＡＢＸ
７、８・・電話機
９・・・無線電話機
１０・・内線電話機
１１・・ＭＦＰ
１３・・スキャナ部
１４・・ＭＦＰ制御部
１５・・プリンタ部
１６・・ＭＦＰメイン部
１７・・読取機構制御部
１８・・表示操作制御部
１９・・ＦＡＸ通信制御部
２０・・ＬＡＮ通信制御部
２１・・インターネット通信制御部
２２・・記憶装置制御部
２３・・及び記憶装置部（ＨＤＤ）
３０・・ファクシミリ装置
【図２】
2007174006.tif 000003
【図３】
2007174006.tif 000004
【図５】
2007174006.tif 000005
【図１】
2007174006.tif 000006
【図４】
2007174006.tif 000007